(57)【要約】【課題】ひざ掛けを使用しないときには巻き取り収容して車内スペースを確保し、また、暖房のための新たな電気を使用せず車載バッテリーの寿命を延ばすことができ、さらには、接続コードなどが不要で運転の妨げにならない車両用ひざ掛け装置を提供する。【解決手段】車室内の足下前方に設けられた空調用ダクト１と、空調用ダクト１の噴出し口２に一端部７ａを接続させ、袋状とされた内部に導入された空調風を少なくとも座席３に座った人の膝に当たる部分に噴出させる複数の孔６が形成された中空ひざ掛け布７と、前記中空ひざ掛け布７を前記空調用ダクト１の周面１ａに巻き付ける状態と、巻き付けられた中空ひざ掛け布７を引き出す状態と、にする巻付け巻き取り手段１３，１４とを備えている。【選択図】図２
2008038308.tif 000002
【特許請求の範囲】
【請求項１】
車室内の足下前方に設けられた空調用ダクト（１）と、
前記空調用ダクト（１）の噴出し口（２）に一端部（７ａ）を接続させ、袋状とされた内部に導入された空調風を少なくとも座席（３）に座った人の膝に当たる部分に噴出する複数の孔（６）が形成された中空ひざ掛け布（７）と、
前記中空ひざ掛け布（７）を前記空調用ダクト（１）の周面（１ａ）に巻き付ける状態と、巻き付けられた中空ひざ掛け布（７）を引き出す状態と、にする巻付け巻き取り手段（１３，１４）と、
を備えたことを特徴とする車両用ひざ掛け装置。
【請求項２】
請求項１に記載の車両用ひざ掛け装置であって、
前記空調用ダクト（１）は、インストルメントパネル（９）内に設けられ、前記中空ひざ掛け布（７）の前記空調用ダクト（１）への巻き付け動作を停止させるストッパー部材（８）が、前記中空ひざ掛け布（７）の他端部（７ｂ）に設けられた
ことを特徴とする車両用ひざ掛け装置。
【発明の詳細な説明】
【技術分野】
【０００１】
本発明は、車両用ひざ掛け装置に関し、詳細には、ひざ掛け使用時以外のときには巻き取り可能となす車両用ひざ掛け装置に関する。
【背景技術】
【０００２】
自動車などには、車内の温度を快適なものとするために空調装置が設けられているが、人によってはこれだけでは十分ではないため、ひざ掛けを使用するようにした技術が開示されている（例えば、特許文献１、２など参照）。
【０００３】
特許文献１に記載の技術は、インストルメントパネル下部のヒータ温風噴出し口の上方に、毛布等のひざ掛け用布を巻き込んだカートリッジをブラケットを介して設置し、使用時はカートリッジからひざ掛け布を引き出し、そのひざ掛け布に設けた係止部をシートなどに設けた引掛け部に引っ掛けて固定することで、温風噴出し口から噴き出した温風を、ひざ掛け布で下半身側へと抑えて当該下半身を加温するように構成したものである。
【０００４】
特許文献２に記載の技術は、車両における直流電源に電気的に接続可能な電源側コネクタ部と車両用電気ひざ掛け具本体の温度制御を行う温度制御部とを備えたソケット部と、車両用電気ひざ掛け具本体の接続用受け部に対し電気的な接続を可能とする本体接続用コネクタ部と、ソケット部と本体接続用コネクタ部との間を電気的に接続するコード部と、繊維保温部材よりなる車両用電気ひざ掛け具本体と、車両用電気ひざ掛け具本体に付設した接続用受け部と、接続用受け部と電気的に接続され車両用電気ひざ掛け具本体に内蔵させた発熱部とを有した構造とされている。
【特許文献１】実開平６−９０２号公報
【特許文献２】登録実用新案第３０３０５３８号公報
【発明の開示】
【発明が解決しようとする課題】
【０００５】
しかしながら、特許文献１に記載の技術では、ひざ掛け布によりヒータ温風噴出し口から噴き出された温風を単に運転者の足下に向くようにしたものであるため、直接温風が膝に当たらず充分な加温効果を得ることができない。
【０００６】
一方、特許文献２に記載の技術では、ひざ掛け具本体を使用しない時の収納場所がなく、また、暖房用電流が多くなり、車載バッテリーの短寿命化に繋がる。さらに、かかる技術では、ひざ掛け具本体に接続される接続コードなどが運転の妨げになる可能性がある。
【０００７】
そこで、本発明は、上記した課題を解決するためになされたものであり、ひざ掛けを使用しないときには巻き取り収容して車内スペースを確保し、また、暖房のための新たな電気を使用せず車載バッテリーの寿命を延ばすことができ、さらには、接続コードなどが不要で運転の妨げにならない車両用ひざ掛け装置を提供することを目的とする。
【課題を解決するための手段】
【０００８】
請求項１に記載の車両用ひざ掛け装置は、車室内の足下前方に設けられた空調用ダクトと、前記空調用ダクトの噴出し口に一端部を接続させ、袋状とされた内部に導入された空調風を少なくとも座席に座った人の膝に当たる部分に噴出する複数の孔が形成された中空ひざ掛け布と、前記中空ひざ掛け布を前記空調用ダクトの周面に巻き付ける状態と、巻き付けられた中空ひざ掛け布を引き出す状態と、にする巻付け巻き取り手段と、を備えたことを特徴とする。
【０００９】
請求項２に記載の車両用ひざ掛け装置は、請求項１に記載の発明において、前記空調用ダクトは、インストルメントパネル内に設けられ、前記中空ひざ掛け布の前記空調用ダクトへの巻き付け動作を停止させるストッパー部材が、前記中空ひざ掛け布の他端部に設けられたことを特徴とする。
【発明の効果】
【００１０】
請求項１に記載の発明によれば、中空ひざ掛け布を空調用ダクトの周面に巻き付ける状態と、巻き付けられた中空ひざ掛け布を引き出す状態と、にする巻付け巻き取り手段を備えているので、ひざ掛けを使用しないときは、ひざ掛け布を巻き取って収納することができるので、車室内スペースを確保することができる。
【００１１】
また、請求項１に記載の発明によれば、袋状で且つ膝に当たる部分に複数の孔を形成した中空ひざ掛け布を空調用ダクトの噴出し口に接続させてその内部に空調風を送り込み前記孔から噴き出すようにしているので、暖房・冷房のための新たな電気を使用することなく加温でき、また、車載バッテリーの寿命を延ばすことができると共に電源に接続するための接続コードも不要となり運転者の妨げにもならない。
【００１２】
また、請求項１に記載の発明によれば、ひざ掛け布に形成した孔から空調風が噴き出されるので、直接膝を温めるまたは冷やすことができることからひざ掛け布自体に保温効果が不要となり、薄型化、軽量化することができる。
【００１３】
請求項２に記載の発明によれば、中空ひざ掛け布の空調用ダクトへの巻き付け動作を停止させるスットパー部材が設けられているので、ストッパー部材がインストルメントパネルに当たって巻き付け動作を確実に停止させることができる。
【発明を実施するための最良の形態】
【００１４】
以下、本発明を適用した具体的な実施の形態について図面を参照しながら詳細に説明する。
【００１５】
図１は本実施の形態の車両用ひざ掛け装置を示し、中空ひざ掛け布を巻き取って収容した状態を示す模式図、図２は本実施の形態の車両用ひざ掛け装置を示し、中空ひざ掛け布を引き出した状態を示す模式図、図３は中空ひざ掛け布に形成した複数の孔から空調風が吹き出される様子を示す模式図、図４は中空ひざ掛け布の他端部にストッパー部材が取り付けられた状態を示す模式図、図５は巻付け巻き取り手段の分解斜視図である。
【００１６】
本実施の形態の車両用ひざ掛け装置は、図１から図５に示すように、車室内の足下前方に設けられた空調用ダクト１と、この空調用ダクト１の噴出し口２に一端部７ａを接続させ、袋状とされた内部に導入された空調風を少なくとも座席３に座った人４の膝５に当たる部分に噴出させる複数の孔６が形成された中空ひざ掛け布７と、この中空ひざ掛け布７を前記空調用ダクト１の周面１ａに巻き付ける状態と、巻き付けられた中空ひざ掛け布７を引き出す状態と、にする巻付け巻き取り手段と、中空ひざ掛け布７の空調用ダクト１への巻き付け動作を停止させるストッパー部材８と、を備えている。
【００１７】
空調用ダクト１は、インストルメントパネル９内であって車室内の足下前方に設けられ、運転席前方または助手席前方或いは両方に配置されている。かかる空調用ダクト１は、一端を車両空調ユニット１０の空調風噴き出し部１１に回転可能に接続し、他端を閉塞した円筒形状（ドラム形状）としたフットダクトとされている。
【００１８】
この空調用ダクト１の周面１ａには、車両空調ユニット１０からその内部に導入された空調風（温度調節された温風・冷風を意味するものとする）を噴き出す噴出し口２が形成されている。噴出し口２は、空調用ダクト１の長手方向に沿って長孔形状とされたスリットとして形成されている。
【００１９】
中空ひざ掛け布７は、例えば毛布や化学繊維などにより袋状として形成されており、一端部７ａを前記空調用ダクト１の噴出し口２に接続させ、その接続部から中空とされた内部１２に空調風が送り込まれるようになっている。この中空ひざ掛け布７には、座席３に座った人４の膝５に当たる部分に複数の孔６が形成されている。これら孔６からは、中空ひざ掛け布７の内部１２に送り込まれた空調風が直接膝５に噴出される。中空ひざ掛け布７の他端部７ｂには、中空ひざ掛け布７の空調用ダクト１への巻き付け動作を停止させる機能と、空調用ダクト１に巻き付けられた中空ひざ掛け布７を引き出す際の取手としての機能とを備えたストッパー部材８が取り付けられている。
【００２０】
巻付け巻き取り手段は、ねじりコイルバネ１３と、ラチェット機構からなる回転制御歯車１４及びこの回転制御歯車１４の回転を任意の位置で停止させるラチェット部（図示は省略する）とから構成されている。
【００２１】
ねじりコイルバネ１３は、空調風噴き出し部１１と空調用ダクト１との接続部分に設けられ、一方の係止部１３Ａを空調風噴き出し部１１に係止させ、他方の係止部１３Ｂを空調用ダクト１に係止させている。回転制御歯車１４は、空調用ダクト１の他端に設けた歯車固定突部１５に回転自在に取り付けられている。ラチェット部は、空調用ダクト１の他端部を覆って設けられる固定カバー１６に設けられており、前記回転制御歯車１４の歯部に係合して当該回転制御歯車１４の回転を所定位置で停止させる。
【００２２】
このように構成された車両用ひざ掛け装置においては、中空ひざ掛け布７を使用しない場合は、図１に示すように、空調用ダクト１の周面１ａに中空ひざ掛け布７が巻き付いてインストルメントパネル９内に収容された状態とされており、ストッパー部材８がインストルメントパネル９に形成されたひざ掛け引き出し口１７の開口周縁部に当接した状態とされている。そのため、車室内の足下にはストッパー部材８のみが呈していることになる。
【００２３】
かかる収納状態から中空ひざ掛け布７を引き出すには、ストッパー部材８を握って引っ張る。すると、空調用ダクト１の周面１ａに巻き付いた中空ひざ掛け布７が車内へと引き出される。引き出した中空ひざ掛け布７を図２に示すように膝５の上に掛ければ、その中空ひざ掛け布７の内部１２に送り込まれた空調風が複数の孔６から直接膝５の上に噴き出される。これにより、膝５が熱風または冷風の空調風で直接温められるまたは冷やされると共に、中空ひざ掛け布７自体によって空調風が上昇するのが抑えられ、当該空調風が膝５全体を温めるまたは冷やされることになる。
【００２４】
中空ひざ掛け布７を収納する場合は、ストッパー部材８を軽く引っ張って放すことでラチェット部と回転制御歯車１４との係合が解除され、ねじりコイルバネ１３により空調用ダクト１が回転し、その空調用ダクト１の周面１ａに中空ひざ掛け布７が巻き付く。そして、ストッパー部材８がひざ掛け引き出し口１７の開口周縁部に当接すると、空調用ダクト１の回転がストップして全ての中空ひざ掛け布７がインストルメントパネル９内に収容されることになる。これで、車室内の足下スペースには、中空ひざ掛け布７が存在せず充分広い足下空間を確保することができる。
【００２５】
本実施の形態によれば、中空ひざ掛け布７を空調用ダクト１の周面１ａに巻き付ける状態と、巻き付けられた中空ひざ掛け布７を引き出す状態と、にする巻付け巻き取り手段を備えているので、ひざ掛けを使用しないときは、中空ひざ掛け布７を巻き取って収納することができるので、車室内スペースを確保することができる。
【００２６】
また、本実施の形態によれば、袋状で且つ膝５に当たる部分に複数の孔６を形成した中空ひざ掛け布７を空調用ダクト１の噴出し口２に接続させてその内部に熱風または冷風を送り込み前記孔６から噴き出すようにしているので、暖房または冷却のための新たな電気を使用することなく加温でき、また、車載バッテリーの寿命を延ばすことができると共に電源に接続するための接続コードも不要となり運転者の妨げにもならない。
【００２７】
また、本実施の形態によれば、中空ひざ掛け布７に形成した孔６から熱風または冷風が噴き出されるので、直接膝５を温めるまたは冷やすことができることからひざ掛け布自体に保温効果が不要となり、薄型化、軽量化することができる。
【００２８】
また、本実施の形態によれば、中空ひざ掛け布７の空調用ダクト１への巻き付け動作を停止させるスットパー部材８が設けられているので、ストッパー部材８がインストルメントパネル９に当たって巻き付け動作を確実に停止させることができる。
【図面の簡単な説明】
【００２９】
【図１】本実施の形態の車両用ひざ掛け装置を示し、中空ひざ掛け布を巻き取って収容した状態を示す模式図である。
【図２】本実施の形態の車両用ひざ掛け装置を示し、中空ひざ掛け布を引き出した状態を示す模式図である。
【図３】中空ひざ掛け布に形成した複数の孔から空調風が吹き出される様子を示す模式図である。
【図４】中空ひざ掛け布の他端部にストッパー部材が取り付けられた状態を示す模式図である。
【図５】巻付け巻き取り手段の分解斜視図である。
【符号の説明】
【００３０】
１…空調用ダクト
２…噴出し口
３…座席
４…人
５…膝
６…孔
７…中空ひざ掛け布
８…ストッパー部材
９…インストルメントパネル
１３…ねじりコイルバネ（巻付け巻き取り手段）
１４…回転制御歯車（巻付け巻き取り手段）
【図１】
2008038308.tif 000003
【図２】
2008038308.tif 000004
【図３】
2008038308.tif 000005
【図４】
2008038308.tif 000006
【図５】
2008038308.tif 000007